(57)【要約】  【解決手段】引出しの引込み装置であって、引込み装置に連結可能な引張り具と、電動モータを備えた駆動装置と、駆動装置によって作動して引張り具を巻き上げるローラとを含んでおり、駆動装置（８）は、ローラ（４）の回転によって始動することを特徴とする引込み装置である。【選択図】図６ａ
2009541611.tif 000002
【特許請求の範囲】
【請求項１】
引出しの引込み装置であって、
本引込み装置に連結可能な引張り具と、電動モータを備えた駆動装置と、該駆動装置によって作動して前記引張り具を巻き上げるローラとを含んでおり、
前記駆動装置（８）は、前記ローラ（４）の回転によって始動することを特徴とする引込み装置。
【請求項２】
駆動装置（８）は、ローラ（４）が２つの可能な回転方向のうちの１回転方向に手動によって実質的に自由回転するように設計され、及び/又は、該ローラに連動されていることを特徴とする請求項１記載の引込み装置。
【請求項３】
駆動装置（８）は、ローラ（４）が２つの可能な回転方向のうちの１回転方向にのみ回転するように設計され、及び/又は、該ローラに連動されていることを特徴とする請求項１又は２記載の引込み装置。
【請求項４】
ローラ（４）は、２つの可能な回転方向のうちの１回転方向に回転するようコイルスプリング（１２）等のスプリングから作用を受けることを特徴とする請求項１から３のいずれかに記載の引込み装置。
【請求項５】
スプリングは、ローラ（４）の回転によってエネルギー蓄積され、該ローラ（４）の回転は、引張り具（２）の巻き戻しに連動するように設計されていることを特徴とする請求項４記載の引込み装置。
【請求項６】
引張り具（２）は、ケーブルであることを特徴とする請求項４又は５記載の引込み装置。
【請求項７】
引張り具（２）は、引出し（６）に押出力をも伝達できる鋼製帯体等の形態で提供されていることを特徴とする請求項４又は５記載の引込み装置。
【請求項８】
駆動装置（８）は、スイッチ具（１５）によって始動されることを特徴とする請求項１から７のいずれかに記載の引込み装置。
【請求項９】
スイッチ具（１５）は、２連動部（１５ａ、１５ｂ）の形態から成り、連動部（１５ｂ）は、駆動装置（８）のハウジングに非回転式に接続されており、連動部（１５ａ）は、駆動装置（８）のシャフトの回転によって回転することを特徴とする請求項８記載の引込み装置。
【請求項１０】
構造体であって、請求項１から９のいずれかに記載の引込み装置と、開放位置と閉鎖位置との間で可動である家具要素の本体枠内に搭載された引出しと、前記引込み装置の引張り具を該引出しと連動及び脱連動させる連動装置とを含んで成ることを特徴とする構造体。
【請求項１１】
引込み装置（１）は、引出し（６）がローラ（４）の作動によって脱連動状態となったとき、引張り具（２）は、スプリングによって巻き上げられるように設計されていることを特徴とする請求項１０記載の構造体。
【請求項１２】
構造体であって、開放位置と閉鎖位置との間で可動である家具要素の本体枠内に搭載された引出しと、請求項１の構成部分である引張り具と、電動モータを備えた駆動装置と、該駆動装置によって作動して前記引張り具を巻き上げるローラとを含んでいる引込み装置とを含んで成り、前記引出し（６）を閉鎖位置から外させる押出し装置（１１）をさらに含んでいることを特徴とする構造体。
【請求項１３】
駆動装置（８）は、ローラ（４）の回転で始動できることを特徴とする請求項１２記載の構造体。
【請求項１４】
引込み装置（１）の駆動装置（８）は、ローラ（４）とは独立したスイッチの作用によって始動することを特徴とする請求項１２記載の構造体。
【請求項１５】
押出し装置（１１）は、引込み装置（１）とは構造的に別体であることを特徴とする請求項１２から１４のいずれかに記載の構造体。
【発明の詳細な説明】
【技術分野】
【０００１】
本発明は、引出しに連結が可能な引張り具と、電動モータを備えた駆動装置と、駆動装置で駆動し、引張り具を巻き上げるためのローラとを備えた引出しの引込み装置に関する。
【背景技術】
【０００２】
この種の引込み装置は、例えば特許文献１で紹介されている。
【０００３】
この装置では、引張り具として作用する調節ロッドの最上部分は、洗浄剤トレーの形態で引出しに解放可能に取り付けられている。この調節ロッドと、連結されている引出しとは、電動モータによって両方とも延び出し及び引き込みが可能である。駆動装置の始動は、ユーザにより操作されるボタンによって実行されている。
【先行技術文献】
【特許文献】
【０００４】
【特許文献１】ＥＰ４６５８００Ａ１
【発明の概要】
【発明が解決しようとする課題】
【０００５】
本発明の目的は、利便性が高い一般的に利用できる引込み装置の開発にある。
【課題を解決するための手段】
【０００６】
この目的は、請求項１の特徴を備えた引込み装置によって達成される。
【０００７】
駆動装置（具体的には駆動装置の電動モータ）は、ローラ具の回転で始動されるため、家具要素の本体枠、又は引出しにそれぞれスイッチを配置して始動させることは不要である。その代わりに、ユーザによって引出しにかけられる小作用力が引張り具によってローラに伝達され、そのローラの回転移動により駆動装置は始動される。
【０００８】
引張り具が引出しに対して、引張力及び押出力の両方を伝達できるように設計されているなら、引張り具が所定の移動抵抗力を備えている（例えば鋼製帯体の形態）ことが好ましい。
【０００９】
しかし、引張り具が引出しに対して引張力を適用するようにだけ設計することもできる。この場合には、引張り具は例えばケーブルでよい。
【００１０】
後者の場合には、引込み装置は、当然に引出しに対して閉鎖方向にだけ力を作用させる。この場合には、例えばタッチラッチ機構である別装置を設置して引出しをその閉鎖位置から押出すことができる。
【００１１】
引張り具が抵抗性を有していないなら（例えばケーブルを使用）、引張り具は、常に一定の引張力を保つ必要がある。さもないとユーザによって閉鎖位置方向に押込まれる引出しは、ローラの回転に必ずしも連動しないからである。例えば追加の措置を講じなければケーブルは簡単に緩むであろう。こうなると引き込み操作を促すための駆動装置の作動力は働かない。
【００１２】
この場合、ローラは、スプリング（好適には、コイルスプリング）により可能な２方向回転うちの片方向に回転する。好適には、スプリングは、ローラの回転によってエネルギーが蓄積され、巻き戻されている引張り具に連結されるように設計されている。この場合には、引張り具は、事実上引出しに連結され、引出しが開いた状態ではローラには、常に引張力が作用している。この状態でユーザによって引出しがその開放状態から少々閉じる方向に移動されると、その移動は引張力が作用する引張り具によってローラに伝達され、駆動装置が起動されてさらなる移動を補佐する。
【００１３】
引込み装置が引出しの閉鎖方向にのみ作用するなら、ローラが可能な双回転方向の一回転方向に手動で実質的に自由回転できるように駆動装置を設計し、及び/又は、ローラに対して連動されなければならない。これで（手動又は別装置による）閉鎖位置から開放位置への引出しの移動に対して駆動装置からは抵抗力を作用させない。
【００１４】
しかし、この場合には、オプションで提供されるスプリングにエネルギー蓄積させるのに必要な力を作用させることが必要となろう。スプリングは、引出しの引込みのためには作用せず、引張り具に引張力を提供するだけであるため、スプリングは、強力である必要はない。この理由によりスプリングにエネルギーを付与する際の強い力に打ち克つ必要もない。
【００１５】
可能な２回転方向の一方のみに駆動装置によって駆動されるようにローラを設計することができる。
【００１６】
例えば脱連動装置の特徴によっては、連行部を引張り具の１端に提供できる。これで引出しは、家具要素の本体枠内に挿入され、閉鎖位置に移動された後に引張り具と再び連動させることができる。
【００１７】
引出しが非連動状態にあるときローラの作用に助けられてスプリングにより巻き上げられように引張り具を設計することができる。また、ローラの回転による代わりに、ローラとは独立したスイッチの起動によって始動するように引込み装置の駆動装置を設計することもできる。
【００１８】
さらに、スイッチ装置を２部分連動式とし、一方の部分を駆動装置のハウジングに非回転式に連結させ、他方の部分を駆動装置のシャフトの回転により回転するように設計することができる。
【００１９】
前述の実施態様の１つに従って、引込み装置と、開放位置と閉鎖位置との間で家具要素の本体枠内で移動可能に搭載されている引出しと、引込み装置の引張り具を引出しと連動させ、あるいは引出しから脱連動させる連動装置とを含む構造も提供される。
【００２０】
好適には、引出しがローラの作動によって脱連動状態にあるとき、引張り具がスプリングによって巻き上げ可能となるように引込み装置を設計する。この場合には、スプリングは、強力であり、引張り装置の巻き上げのためのローラ回転を提供できなければならない。引張り装置を巻き上げることによって、引出しが非連動であり、家具要素の本体枠から外れるような場合にでも引張り具の絡まりは発生しない。
【００２１】
加えて、家具要素の本体枠内で開放位置と閉鎖位置との間で可動に搭載されている引出しと、引出しに連結可能な引張り具を備えた引出しの引込み装置と、電動モータを備えた駆動装置と、引張り具を巻き上げるために駆動装置によって駆動可能なローラとを有する構造体が提供される。この構造体は、引出しをその閉鎖位置から押し出すための押出し装置を含む。
【００２２】
駆動装置をローラの回転によって始動させる設計もさらに提供することができる。
【００２３】
引込み装置の駆動装置をローラとは、独立したスイッチの作用で起動できるようにした構造体もさらに提供される。
【００２４】
さらに、押出し装置を引込み装置から構造的に分離させているが共に搭載要素に搭載させる構造体も提供することができる。
【００２５】
本発明のさらなる利点と詳細は、以下の詳細な説明と図面とから明瞭となるであろう。
【図面の簡単な説明】
【００２６】
【図１】図１は、本発明の一実施例による構造体の概略図である。
【図２】図２は、図１の構造体の斜視図である。
【図３】図３は、図１の構造体の別斜視図である。
【図４ａ】図４ａは、本発明の実施例による構造体の後方斜視図とその一部の詳細図である。
【図４ｂ】図４ｂは、本発明の実施例による構造体の後方斜視図とその一部の詳細図である。
【図５ａ】図５ａは、本発明の別実施例による構造体の背面図とその一部の詳細図である。
【図５ｂ】図５ｂは、本発明の別実施例による構造体の背面図とその一部の詳細図である。
【図６ａ】図６ａは、本発明の１実施例による引込み装置の一部分解図と組立斜視図である。
【図６ｂ】図６ｂは、本発明の１実施例による引込み装置の一部分解図と組立斜視図である。
【発明を実施するための形態】
【００２７】
図１は、家具要素の概略図である。
【００２８】
この家具要素は、本体枠５と、本体枠５の内部に収容されており、開放位置と閉鎖位置との間で可動に搭載されている引出し６とを含む。図１のこの実施例では、引出し６は、開放位置にある。引出し６は、引張り具２によって引込み装置１のローラ４に連動されている。ここでは、その連動は解放式の連動装置３により提供されている。
【００２９】
図２は、家具要素のさらに詳細な斜視図であり、図５ａで示す押出し装置１１の運搬レール７は、本体枠５の後壁に提供されている。
【００３０】
図３は、図２の構造体の後方図であり、その後壁は、一部切り欠かれている。引込み装置１の駆動装置８と引込み装置１のローラ４とが明瞭に示されている。この場合は、ケーブルである引込み具２は、引込み装置に部分的に巻き上げられている。引張り具２は、連動装置３によって引出し６の後壁１０に連動されている。押出し装置１１も図３に図示されている。
【００３１】
図４ａは、図３の家具要素の背面を図示する。ここでは、引出し６は、閉鎖位置にある。図４ｂは、引込み装置の詳細を示す。連動装置３の部材９も示されている。
【００３２】
連動装置３の機能は、図５ａと図５ｂに関して以下で詳細に説明する。
【００３３】
図５ａは、本体枠５（図示せず）内で閉鎖位置にある引出し６を図示する。引張り具２は、引出し６とは、非連動状態である（図５ｂ参照）。家具要素の本体枠５内への引出し６の移動によって、引張り具２に搭載されている連行部１３は、連動装置３の部材９内に押し込まれ、そこでラッチ式に保持される。この状態で引出し６は、引張り具２と連動し、その結果、引込み装置１と連動する。本実施例では、引出し６の閉鎖位置からの移動は、純粋に手動でも、押出し装置１１の支援によってでも可能である。
【００３４】
一方、閉鎖位置方向への引出し６の移動は、引込み装置１により実施される。すなわち駆動装置８により駆動されるローラ４と、そこに連結されており、巻き上げられる引張り具２と、連行部１３と連動装置の部材９により引き込まれる引出し６とによって実施される。この実施例では、引込み装置１の駆動装置８は、閉鎖位置方向への引出し６の少々の移動で始動される。連動装置３の設計は、本発明の範囲には含まれない。
【実施例】
【００３５】
以下の実施例のごとく、引張り具２は、ケーブルであっても構わず、引出し６が連動されると引張下で閉鎖方向にローラ４に作用し、引張り具２を保持するコイルスプリング１２が提供される（図６ａと図６ｂ参照）。
【００３６】
本発明の引込み装置１の例示的実施例による構造体は、図６ａと図６ｂとに図示されている。
【００３７】
本実施例では、ローラ４は、駆動装置８のシャフトに非回転式取り付けられ、引張り具２は、ローラ４に部分的に巻き付けられている。ローラ４は、コイルスプリング１２により作用を受け、コイルスプリング１２の端部１４は、ローラ４に固定されており、コイルスプリング１２の端部１３は、連動具１５に固定されている。連動具１５（本実施例では、スイッチ装置１５を形成）は２部分で成り、部分１５ａは、駆動装置８のシャフトの回転により回転する。部分１５ｂは、駆動装置８のハウジングに非回転式に連結されており、コイルスプリング１２の端部１３の係留具１６を有している。
【００３８】
本実施例では、連動具１５は、開放方向に手動回転させ、引込み方向の移動によって駆動装置８をローラ４に回転式に連動させる。
【００３９】
駆動装置８の始動は、ローラ４の回転（図６で示す実施例では反時計回り）によりスイッチ装置１５によって提供される。
【００４０】
図６ｂは、組み立てられ状態の引込み装置１を図示する。
【図１】
2009541611.tif 000003
【図２】
2009541611.tif 000004
【図３】
2009541611.tif 000005
【図４ａ】
2009541611.tif 000006
【図４ｂ】
2009541611.tif 000007
【図５ａ】
2009541611.tif 000008
【図５ｂ】
2009541611.tif 000009
【図６ａ】
2009541611.tif 000010
【図６ｂ】
2009541611.tif 000011
【国際調査報告】
2009541611.tif 000012
2009541611.tif 000013
2009541611.tif 000014
2009541611.tif 000015